(57)【要約】【課題】原稿の自動判別に要する時間を短くすることができ、また、ユーザが必要としない画像処理を実行することがない画像読取装置および画像読取装置の制御方法を提供することを目的とする。【解決手段】反射原稿と透過原稿とを読み取り、読み取る原稿の種類を自動判別し、判別された原稿の種類に応じた画像処理を施すオートモード読み取り処理を実行し、オートモード読み取り処理時に、現在行っている自動画像処理の内容を表示する。そして、上記読み取る原稿の種類を自動判別する代わりに、読み取る原稿の種類をユーザが手動で選択するために操作する操作装置を設け、オートモード読み取り処理時に、ユーザが上記操作装置を介して選択した処理内容に応じて、画像を読み取る。【選択図】図１
2008148261.tif 000002
【特許請求の範囲】
【請求項１】
反射原稿と透過原稿とを読み取る手段と；
読み取る原稿の種類を自動判別し、判別された原稿の種類に応じた画像処理を自動で施すオートモード読み取り処理手段と；
オートモード読み取り処理時に、現在行っている自動の画像処理の内容を表示する表示手段と；
上記読み取る原稿の種類を自動判別する代わりに、読み取る原稿の種類をユーザが手動で選択するために操作する操作手段と；
オートモード読み取り処理時に、ユーザが上記操作手段を介して選択した処理内容に応じて、画像を読み取る制御手段と；
を有することを特徴とする画像読取装置。
【請求項２】
請求項１において、
上記表示手段は、オートモード読み取り処理を実施する前に、オートモード読み取りで行う画像処理項目の一覧を表示する表示手段であり、
上記操作手段は、上記表示手段に表示されている上記画像処理項目の中から、不必要な画像処理を、ユーザに選択させる操作手段であることを特徴とする画像読取装置。
【請求項３】
請求項１において、
上記表示手段は、オートモード読み取りを実施した後に、オートモード読み取り処理で行った画像処理項目の一覧を、表示する表示手段であり、
上記操作手段は、上記表示部に表示されている上記画像処理項目の中から、不必要な画像処理を、ユーザに選択させることを特徴とする画像読取装置。
【請求項４】
反射原稿と透過原稿とを読み取る工程と；
読み取る原稿の種類を自動判別し、判別された原稿の種類に応じた画像処理を施すオートモード読み取り処理工程と；
オートモード読み取り処理時に、現在行っている自動の画像処理の内容を表示部に表示する工程と；
上記読み取る原稿の種類を自動判別する代わりに、読み取る原稿の種類をユーザが操作手段を介して手動で選択すると、この選択した処理内容に応じて、画像を読み取る制御工程と；
を有することを特徴とする画像読取装置の制御方法。
【請求項５】
画像のスキャン読取中に、ユーザに読取設定を変更させる読取設定変更ボタンと；
画像処理のオン／オフを変更する画像処理オン／オフ変更ボタンと；
スキャン読取中の画像を逐次に表示する表示部と；
スキャン読取中に、読取設定ボタン又は画像処理オン／オフ変更ボタンがユーザによって操作されると、読取設定又は画像処理のオン／オフを変更する変更手段と；
を有することを特徴とする画像読取装置。
【請求項６】
請求項５において、
スキャン読取中に読取設定又は画像処理のオン／オフを変更すると、この変更を反映できるプロセスまで直ちに戻り、処理をやり直すことを特徴とする画像読取装置。
【請求項７】
スキャン読取中の画像を逐次に表示部に表示する工程と；
スキャン読取中に、ユーザに読取設定を変更させる読取設定変更ボタン、又は、画像処理のオン／オフを変更する画像処理オン／オフ変更ボタンが、ユーザによって操作されると、読取設定又は画像処理のオン／オフを変更する変更工程と；
を有することを特徴とする画像読取装置の制御方法。
【発明の詳細な説明】
【技術分野】
【０００１】
本発明は、原稿として読み取った画像を、電気的な画像信号に変換するイメージセンサによって読み取り、これをＡ／Ｄ変換器によってデジタル化した画像信号を、外部装置に転送する画像読取装置に関する。
【背景技術】
【０００２】
近年、この種の画像読取装置において、ユーザは、読み取る原稿の種類（たとえば、写真、文書、フィルム等）を選択し、原稿をプレビュー表示させ、読み取りに必要な画像の部分を切り出す（クロッピング）。そして、画像に合わせて、必要な画像処理を施し、プレビュー表示によって、画像処理結果を確認し、画像の本読み取りを行う必要がある。
【０００３】
そして、ユーザが画像読み取りを、より簡単にできるようにするために、上記処理を全て自動で行うオートモード読み取りが知られている（たとえば、特許文献１参照。）。
【特許文献１】特開２００５−３１１９４７号公報
【発明の開示】
【発明が解決しようとする課題】
【０００４】
しかし、上記従来例では、ユーザがスキャンボタンを押すのみで、その他は何も操作することなく原稿を読み取るオートモード読み取りする場合、原稿の自動判別に要する時間が長いという問題があり、また、判別結果が実際とは異なる場合があるという問題がある。
【０００５】
たとえば、現状のスキャナの構成上、反射原稿を読み取るときと、透過原稿を読み取るときとでは、点灯させるランプが異なるので、読み取る原稿が、反射原稿であるのか、透過原稿であるのかを、判別する必要がある。
【０００６】
現在のスキャナでは、反射原稿であるのか、透過原稿であるのかを判別する場合、ＣＣＤの読み取りデータを使用して判別するので、ＣＣＤで読み込みする前に、光源を安定させる必要がある。また、この光源として蛍光灯を使用するので、光源点灯に際して光源を安定させる必要があり、この光源を安定させるために、約１分間が必要である。したがって、スキャナの電源を投入し、原稿を自動判別するためには、１分間以上が必要であり、原稿の自動判別に要する時間が長いという問題がある。
【０００７】
また、オートモードでは、ユーザによる操作なしで、スキャン読み取りの後に画像処理を実行するので便利であるが、ユーザにとっては、必要のない画像処理を実行することがあり、この場合には、処理時間が必要以上にかかるという問題がある。
【０００８】
さらに、上記オートモードは、画像処理を実行した結果、ユーザが所望する処理結果ではない画像が得られることがあるという問題がある。
【０００９】
そして、上記オードモードは、原稿を自動判別した結果が、実際のユーザが期待している原稿種別と異なることがあるという問題もある。
【００１０】
本発明は、原稿の自動判別に要する時間を短くすることができ、また、ユーザが必要としない画像処理を実行することがない画像読取装置及び画像読取装置の制御方法を提供することを目的とする。
【課題を解決するための手段】
【００１１】
本発明は、反射原稿と透過原稿とを読み取り、読み取る原稿の種類を自動判別し、判別された原稿の種類に応じた画像処理を自動で施すオートモード読み取り処理を実行し、オートモード読み取り処理時に、現在行っている自動画像処理の内容を表示する。そして、上記読み取る原稿の種類を自動判別する代わりに、読み取る原稿の種類をユーザが手動で選択するために操作する操作手段を設け、オートモード読み取り処理時に、ユーザが上記操作手段を介して選択した処理内容に応じて、画像を読み取る。
【発明の効果】
【００１２】
本発明によれば、オートモード読み取りでの処理時間を短縮することができ、また、ユーザが必要としない画像処理を実行することがないという効果を奏する。
【発明を実施するための最良の形態】
【００１３】
発明を実施するための最良の形態は、次の実施例である。
【実施例１】
【００１４】
図１は、本発明の実施例１である画像読取装置１００を示す断面図である。
【００１５】
画像読取装置１００は、スキャナ本体１０１と、透過原稿ユニット１０２とを有する。
【００１６】
スキャナ本体１０１は、不図示のインタフェースケーブルによってホストコンピュータ（以下、「ホストＰＣ」という）に接続されている。
【００１７】
スキャナ本体１０１は、移動光学ユニット１０４と、原稿台ガラス１０５と、電気基板１０６と、パルスモータ１０７と、無端ベルト１０８と、プーリ１０９、１１０と、ギア列１１１と、ガイドレール１１２と、白色基準板１１３とを有する。
【００１８】
白色基準板１１３の中には、黒マーク１３６が設けられ、スキャナ本体１０１は、黒マーク１３６を基準にして、読み取りエリアを決め、画像を読み取る。
【００１９】
光学ユニット１０４、パルスモータ１０７は、それぞれ不図示のケーブルによって電気的に接続されている。また、光学ユニット１０４は、ガイドレール１１２を介して、載置部１１４によって摺動可能に載置されている。載置部１１４は、無端ベルト１０８に固着されている。
【００２０】
移動光学ユニット１０４は、反射原稿用光源１１５と、複数の反射ミラー１１６、１１７、１１８と、結像レンズ１１９と、撮像手段であるラインセンサ１２０とを有する。
【００２１】
次に、スキャナ本体１０１における反射原稿画像の読み取り動作について、説明する。
【００２２】
スキャナ本体１０１における読み取り動作は、ホストＰＣからの読み取り命令コマンドによって開始される。スキャナ本体１０１は、光学ユニット１０４の反射原稿用光源１１５を点灯し、読取り原稿１０３からの反射光が、複数のミラー１１６、１１７、１１８で反射し、結像レンズ１１９を介して、ラインセンサ１２０に結像する。これによって、主走査方向１ライン分の画像を読み取る。
【００２３】
また、パルスモータ１０７の動力が、ギア列１１１を介して、プーリ１０９を回転させ、無端ベルト１０８を駆動する。これによって、無端ベルト１０８を介して戴置部１１４に固着されている光学ユニット１０４は、矢印Ｘで示す副走査方向に、ガイドレール１１２上を移動する。
【００２４】
スキャナ本体１０１は、光学ユニット１０４を、副走査方向に移動しつつ、上記主走査方向のライン画像の読み取りを繰り返す。
【００２５】
スキャナ本体１０１は、図１に点線で示す位置まで、読み取り動作をしながら光学ユニット１０４を移動させることによって、原稿台ガラス１０５の全面をスキャンすることができる。また、ホストＰＣからの読み取りコマンドの内容に応じて、原稿台ガラス１０５に載置されている原稿の部分画像を読むことができる。この場合、ホストＰＣの表示部にプレスキャン読取画像をプレビュー表示した画像から、ユーザが読取部分の領域を選択することにより読取り範囲が決定される。これによって、ホストが指定する読み取り画像範囲を読み込む。
【００２６】
図２は、実施例において主にスキャナ本体１０１の機能構成を示すブロック図である。
【００２７】
図１に示す構成と同じ構成には、同じ符号を付す。
【００２８】
光学ユニット１０４において、光源点灯回路２２４は、反射原稿用光源１１５と透過原稿用光源１３５とを点灯する回路であり、この中に、光源の光量検知を行う検知部が含まれている。反射原稿用光源１１５と透過原稿用光源１３５とに、冷陰極管を用いた場合、いわゆるインバータ回路を使用する。
【００２９】
電気基板１０６において、アナログゲイン調整器２２７Ｒ、２２７Ｇ、２２７Ｂは、ラインセンサ１２０から出力されたアナログ画像信号を可変増幅することができる。
【００３０】
Ａ／Ｄ変換器２２８は、アナログゲイン調整器２２７Ｒ、２２７Ｇ、２２７Ｂから出力されたアナログ画像信号を、デジタル画像信号に変換する。
【００３１】
画像処理部２２９は、デジタル信号化された画像信号に、オフセット補正、シェーディング補正、デジタルゲイン調整、カラーバランス調整、マスキング、主・副走査方向の解像度変換、画像圧縮等、画像処理を行う。
【００３２】
ラインバッファ２３０は、画像データを一時的に記憶し、汎用のランダムアクセスメモリを使用している。
【００３３】
インタフェース部２３１は、ホストＰＣ２２１と通信するためのものであり、ここではＵＳＢインタフェースで実現しているが、ＩＥＥＥ１３９４等、別のインタフェースを採用するようにしてもよい。
【００３４】
オフセットＲＡＭ２３２は、画像処理を行う際のワーキングエリアとして用いられる。オフセットＲＡＭ２３２は、ラインセンサ１２０に、ＲＧＢ用ラインセンサが、それぞれ、所定のオフセットを持って平行に配置されているので、そのＲＧＢライン間オフセットの補正用として用いられる。また、オフセットＲＡＭ２３２は、シェーディング補正等の各種データを、一時記憶し、ここでは、汎用のランダムアクセスメモリを使用している。
【００３５】
ガンマＲＡＭ２３３は、ガンマカーブを記憶し、ガンマ補正を行うためのガンマＲＡＭである。
【００３６】
システムコントローラ２２６は、フィルムスキャナ全体のシーケンスを記憶しているシステムコントローラであり、ホストＰＣ２２１からの命令に従って、各種制御を行う。
【００３７】
システムバス２３４は、システムコントローラ２２６と、画像処理部２２９と、ラインバッファ２３０と、インタフェース部２３１と、オフセットＲＡＭ２３２と、ガンマＲＡＭ２３３とを互いに接続するシステムバスである。システムバス２３４は、アドレスバスとデータバスとによって構成されている。
【００３８】
モータ駆動回路２２５は、パルスモータ１０７用のモータ駆動回路であり、スキャナ本体１０１のシステム制御手段であるシステムコントローラ２２６からの信号によって、パルスモータ１０７の励磁切り替え信号を出力する。
【００３９】
次に、スキャナ本体１０１の制御に用いられるホストＰＣ２２１の概略構成について、説明する。
【００４０】
図３は、実施例１において、スキャナ本体１０１の制御に用いられるホストＰＣ２２１の概略構成を示す図である。
【００４１】
ホストＰＣ２２１は、ＲＯＭ３０７と、ＲＡＭ３０８と、中央処理装置３０９と、ディスク装置３１０と、バス３１１と、Ｉ／Ｆ３１２と、Ｉ／Ｆ３１３と、外部記憶装置３１４とを有する。
【００４２】
ＲＯＭ３０７は、上記実施例の制御手順を実現するプログラムを保持する。
【００４３】
ＲＡＭ３０８は、上記プログラムの動作に必要な記憶領域とワークエリアとである。中央処理装置３０９は、ＲＯＭ３０７に保持されているプログラムに従って処理を行う。
【００４４】
バス３１１は、上記各構成を接続し、各構成間におけるデータの授受を可能とする。
【００４５】
Ｉ／Ｆ３１２は、スキャナ本体１０１との通信を行うＩ／Ｆであり、スキャナ本体１０１のＩ／Ｆ２３１と同様に、ＵＳＢインタフェースで実現しているが、ＩＥＥＥ１３９４等、別のインタフェースを採用するようにしてもよい。
【００４６】
Ｉ／Ｆ３１３は、マウスやキーボード等の入力部３２０と接続する。
【００４７】
外部記憶装置３１４は、フロッピー（登録商標）ディスクやＣＤ−ＲＯＭ等、外部記憶媒体を駆動するものであり、上記のように、ＲＯＭ３０７に制御プログラムを予め保持する代わりに、外部記憶媒体に記憶されている場合、それを読み出してダウンロードする。
【００４８】
なお、不図示ではあるが、ネットワークコネクタを介して、ネットワーク経由で制御プログラムをダウンロードするようにしてもよい。
【００４９】
図４は、画像読取装置１００の外部機器であるホストＰＣ２２１上に設けられているドライバソフトの、表示手段と操作手段としての操作装置Ｃ１１を示す図である。
【００５０】
ドライバソフトの操作装置Ｃ１１は、表示部４１と、操作部４２と、ボタン４３、４４と、サムネイル表示４５と、ボタン４６とを有する。
【００５１】
表示部４１は、画像読取装置１００の画像読み取り方法を示す領域である。ユーザは、読み取る原稿の種類を選択することによって、画像読取装置１００の読み取り方法を切り替える。
【００５２】
操作部４２は、画像に施したい画像処理を、ユーザが選択するための操作部であり、これらを選択することによって、最適な画像処理を施すことができる。
【００５３】
ボタン４３は、ホストＰＣ２２１に読み込むための画像を、フィルムのサムネイル表示４５にプレビュー表示するためのボタンである。
【００５４】
ボタン４４は、ホストＰＣ２２１に画像を読み込むためのボタンである。ボタン４４をおすことによって、ホストＰＣ２２１に画像の読み込みを始めさせる。
【００５５】
ボタン４６は、ユーザが、表示部４１を見て、操作部４２を操作することによって、原稿の種類をユーザが選択せずに、また、施す画像処理をユーザが選択せずに、読み取るべき原稿の種別を、自動的に判別させるボタンである。また、ボタン４６は、読み取るべき原稿に最適な画像処理を施し、ホストＰＣ２２１に画像を読み込むためのボタンである。
【００５６】
次に、オートモード読み取り時について説明する。
【００５７】
図５は、画像読取装置１００の外部機器上に設けられているドライバソフトの、表示手段と操作手段としての操作装置Ｃ１２を示す図である。
【００５８】
操作装置Ｃ１２は、原稿の種類表示部５０、５１と、処理内容表示部５２とを有する。
【００５９】
オートモード読み取り時には、図５に示す操作装置Ｃ１２を、ホストＰＣ２２１に表示する。
【００６０】
原稿の種類表示部５０、５１は、ユーザが選択可能な原稿の種類である。ユーザは、読み取る原稿に応じて、原稿の種類を選択することができる。
【００６１】
処理内容表示部５２は、オートモード読み取り時のドライバソフトが現在行っている処理内容を表示するものである。
【００６２】
次に、画像読取装置１００における読み取り動作の制御方法について、説明する。
【００６３】
図６は、画像読取装置１００において、オートモードが選択された後に行われるオートモードの処理を示すフローチャートである。
【００６４】
まず、スキャナ本体１０１の電源をＯＮする。このときに、スキャナ本体１０１の画像読み取り基準位置を決める等、スキャナ本体１０１を初期化し、スキャナ本体１０１が、画像の読み取り可能である状態になっている。スキャナ本体１０１をコントロールするホストＰＣ２２１に、スキャナ本体１０１のドライバソフトを起動する。ドライバソフトの操作装置Ｃ１１、Ｃ１２は、ホストＰＣ２２１のモニタ２２３に表示され、入力部３２０から操作入力する。ユーザは、ホストＰＣ２２１のドライバソフトの操作装置Ｃ１１上で、オートモード読み取りを選択する（Ｓ３）。
【００６５】
画像を読み込む場合、ランプが適切な状態であるかどうかを、チェックする。準備完了まで、通常１分間以上の時間が必要である。準備完了であれば、Ｓ５に進む。ランプの準備が完了していなければ、Ｓ６で、図５に示すドライバソフトの操作装置Ｃ１２を表示する。ユーザは、自分の原稿が「紙／写真」であるのか、「フィルム」であるのかを選択し、選択した画像読み取りモードで、画像を読み取ることもできる。
【００６６】
オートモードの自動読み込みにまかせる場合、非選択でＳ４に戻り、ランプの準備が完了するまで待つ。
【００６７】
ランプの準備が完了したと判断されると、Ｓ５で、原稿が、「紙／写真」であるのか、又は「フィルム」であるのかを自動判別する。原稿が「紙／写真」であると判別されると、Ｓ７で、紙／写真を読み取り、原稿が「フィルム」であると判別されると、Ｓ８で、フィルムを読み取る。
【００６８】
上記のように、オートモード読み取りにおいて、反射原稿と透過原稿との判別処理のように、自動判別処理に時間が掛かる処理は、オートモードでスキャンしている際の現状のステータスを表示するダイアログに、ボタンを設ける。このボタンは、自動判別している処理を、ユーザが行う手動操作に切り替えることを選択させるボタンである。そして、自動判別処理の途中で、手動操作に切り替えることをユーザに選択させ、ユーザが選択した処理に従って、スキャンする。
【００６９】
したがって、上記実施例では、処理時間を短縮することができる。また、それ以外の状況でも、処理時間が長くなる処理について、上記と同様に、ステータスを表示するダイアログの中に、その処理をスキップさせるモードを設け、ユーザが選択した処理内容に従って、スキャンする。
【００７０】
上記実施例によれば、必要のない画像処理を実行することがなく、迅速にスキャンすることができ、画像読取装置１００がコストアップせず、しかも、従来の画像読取装置の構成を変えることなく、実現することができる。
【実施例２】
【００７１】
図７は、本発明の実施例２である画像読取装置２００における操作装置を示す図である。
【００７２】
画像読取装置２００は、オートモード読み取り時に、ホストＰＣ２２１に設けられている操作装置Ｃ２１に表示される。
【００７３】
操作装置Ｃ２１は、画像処理項目表示部６０と、操作部６１と、表示部６２とを有する。
【００７４】
画像処理項目表示部６０は、オートモード読み取り時における画像処理の項目を表示する。画像処理項目表示部６０は、読み取る原稿の種類によって、最適な処理が選ばれ表示される。
【００７５】
操作部６１は、オートモード読み取り時に施される画像処理を、ユーザがマニュアルで選択するための操作部である。
【００７６】
表示部６２は、オートモード読み取り時に、現在行われている画像処理等を表示する。
【００７７】
操作装置Ｃ２１は、これからオートモード読み取りで行われる画像処理の項目が一覧でき、現時点での処理が、全体の中でどの部分を行っているのかが分かるようになっている。行われた処理と、これから行う予定である処理の「ＯＮ（オン）」／「ＯＦＦ（オフ）」を二重線で表示している。ユーザは、これから行われる画像処理において、不必要であると思われる画像処理を、操作部６１を介して、事前に、「ＯＦＦ」にする。
【００７８】
操作部６１を介して、「ＯＦＦ」にされた画像処理は、実際に行われるオートモード読み取り時に、実行されずにスキャンされるので、ユーザにとって不必要な画像処理が行われることがない。
【００７９】
また、オートモード読み取り終了後、操作部Ｃ２１を介して行われたオートモード読み取りの画像処理の内容を保存する。保存された処理の履歴と、処理後の画像と、原稿とを合わせて確認し、ユーザが必要な画像処理を追加で施すこともできる。
【実施例３】
【００８０】
図８は、本発明の実施例３であるスキャン処理中の動作を説明する図である。
【００８１】
画像の読み取りを開始すると、図８に示すように、画像読み取りスレッドと、画像処理スレッドと、ユーザ入力監視スレッドとが、並行して実行される。
【００８２】
画像読み取りスレッドは、スキャナ本体１０１からホストＰＣ２２１へ、１ラインずつ画像を読み取り、メモリに書き込む処理である。
【００８３】
画像処理スレッドは、そのベースイメージのメモリから、ある幅のバンドラインデータを読み出し、各画像処理を順順に実行する処理である。このときに、画像処理の間で、一時メモリにデータを書き込む。ある画像処理を行い、一時メモリに書き込み、次の画像処理は、その一時メモリからデータを読み出し、そのデータに対して画像処理する。
【００８４】
ユーザ入力監視スレッドは、画像読み取り中に、ユーザからの入力があることを監視し、また、その入力が何であるかを監視する処理である。
【００８５】
図９は、実施例３において、スキャナの画像読み取り中のドライバアプリケーションユーザインタフェース６００を示す図である。
【００８６】
画像の読み取りを開始すると、図９に示すインタフェース６００が表示される。
【００８７】
スキャナの画像読み取り中のドライバアプリケーションユーザインタフェース６００は、本スキャン読取画像表示領域６０１と、読取設定・画像処理設定変更ボタン群６０２と、画像読み取りの進行状況を示すダイアログ６０３とを有する。本スキャン読取画像表示領域６０１には、スキャン読取中の画像が、読取られた領域まで逐次表示される。
【００８８】
画像の読み取り中に、ユーザが、本スキャン読取画像表示領域６０１を見て、画像読取設定又は画像処理設定を変更したいと考えると、該当する設定を、読取設定・画像処理設定変更ボタン群６０２から選択する。これによって、選択された画像読取設定又は画像処理設定が変更される。ここでは、選択されている設定を二重枠線で示している。
【００８９】
ユーザの設定変更によって、読取解像度を大きくする必要があれば、画像読み取りスレッドと、画像処理スレッドとを、ともに画像読み取り開始のプロセスまで戻し、再度、画像の読み取りを始めからやり直す。
【００９０】
画像読取設定又は画像処理において一番初めに行う画像処理について、ユーザが変更した場合、画像読み取りスレッドは、そのままプロセスを進める。画像処理スレッドは、一番始めのプロセスまで戻り、ベースイメージメモリを、始めのデータから読み込み、処理を順順にやり直す。
【００９１】
ユーザが、画像処理設定を変更し、この変更した画像処理が、一番始めに行う処理ではない場合、画像処理スレッドは、変更する画像処理の直前のプロセスまで戻り、やり直す。画像読み取りスレッドは、そのままプロセスを進める。
【００９２】
画像処理スレッドの一時メモリにおいて、全ての各画像処理のデータを確保する必要はなく、メモリを節約するために、処理の早い画像処理のデータを、一時メモリに保持しなくてもよい。
【００９３】
ユーザが、画像読取設定又は画像処理設定を変更したら、設定変更を反映した画像を、本スキャン読取画像表示領域６０１に表示し直す。
【００９４】
上記のように、オートモード読み取りにおいて、オートモードでスキャン読取している場合における現状を、ステータスダイアログに表示し、オートモード読み取り時に行われる画像処理の項目一覧を、上記ステータスダイアログに表示する。そして、ユーザが手動操作するためのボタンを設け、オートモード読み取り処理の途中で、上記ボタンをユーザに押させることによって、ユーザに処理を選択させ、この処理をスキップさせるモードを設ける。その後は、ユーザが選択した処理に従ってスキャンする。
【００９５】
したがって、上記実施例では、必要のない画像処理を行わずに、早くスキャンすることができる画像読取装置を、コストアップすることなく、しかも従来の画像読取装置の構成を変えることなく実現することができる。
【００９６】
また、上記実施例によれば、画像読取装置のオートモード読み取りにおいて、反射原稿と透過原稿との判別処理のように、自動判別処理に時間がかかる処理は、オートモードでスキャンしている途中で、現状の処理内容を、ダイアログに表示する。
【００９７】
そして、自動判別している処理を、ユーザが手動処理することを望む場合、手動処理に切り替える旨のボタンを設け、自動判別処理の途中で、ユーザがそのボタンを操作することによって、ユーザが選択した処理に従ってスキャンする。したがって、処理時間を短縮することができる。
【００９８】
さらに、それ以外の状況でも処理時間がかかる状況については、ステータスを表示するダイアログのなかに、その処理をスキップさせるための操作部を設け、ユーザが選択した操作に従って、スキャンするモードを設ける。したがって、必要のない画像処理を行わずに、迅速にスキャンすることができる。
【００９９】
また、オートモードの原稿自動判別処理のミスによるスキャンの失敗をなくす画像読取装置を、コストアップすることなく、しかも従来の画像読取装置の構成を変えずに実現することができる。
【図面の簡単な説明】
【０１００】
【図１】本発明の実施例１である画像読取装置１００を示す断面図である。
【図２】実施例において、主にスキャナ本体１０１の構成を示すブロック図である。
【図３】実施例１において、スキャナ本体１０１の制御に用いられるホストＰＣ２２１の概略構成を示す図である。
【図４】画像読取装置１００の外部機器上に設けられているドライバソフトの操作装置Ｃ２１Ｃ１１を示す図である。
【図５】画像読取装置１００の外部機器上に設けられているドライバソフトの操作装置Ｃ２１を示す図である。
【図６】画像読取装置１００において、オートモードが選択された後に行われるオートモードの処理を示すフローチャートである。
【図７】本発明の実施例２である画像読取装置２００における操作部を示す図である。
【図８】本発明の実施例３において、スキャン処理中の動作を説明する図である。
【図９】実施例３において、スキャナの画像読み取り中のドライバアプリケーションユーザインタフェース６００を示す図である。
【符号の説明】
【０１０１】
１００…画像読取装置、
１０１…スキャナ本体、
１０２…透過原稿ユニット、
１０３…読取り原稿、
２２１…ホストＰＣ、
２２３…モニタ、
Ｃ１１、Ｃ１２、Ｃ２１…操作装置。
【図１】
2008148261.tif 000003
【図２】
2008148261.tif 000004
【図３】
2008148261.tif 000005
【図４】
2008148261.tif 000006
【図５】
2008148261.tif 000007
【図６】
2008148261.tif 000008
【図７】
2008148261.tif 000009
【図８】
2008148261.tif 000010
【図９】
2008148261.tif 000011